(57)【要約】【課題】プラスチック材料からなる化粧用脂取りシートが包装容器に収納された、携帯に便利で且つ化粧用脂取りシートを簡単に取出すことができる化粧用脂取りシート包装体を提供する。【解決手段】本発明の化粧用脂取りシート包装体１は、包装容器２と、包装容器２の内部空間１１に収納された複数の化粧用脂取りシート３とを備えた、化粧用脂取りシート包装体１であって、複数の化粧用脂取りシート３を折り曲げるための芯となる台紙４を更に備えたものであり、化粧用脂取りシート３は、プラスチック材料からなるものであるとともに、この台紙４を挟むようにして折り曲げられた状態で、化粧用脂取りシート３の折り曲げ部１３が取出口１２の幅方向Ｃと平行になるように、包装容器２の内部空間１１に収納されている化粧用脂取りシート包装体１である。【選択図】図２
2007244588.tif 000002
【特許請求の範囲】
【請求項１】
その内部に化粧用脂取りシートを収納し得る内部空間が形成されるとともに、前記化粧用脂取りシートを取出すための取出口が形成された扁平形状の包装容器と、前記包装容器の前記内部空間に収納された複数の化粧用脂取りシートとを備えた、化粧用脂取りシート包装体であって、
複数の前記化粧用脂取りシートを折り曲げる際の芯となる台紙を更に備え、
前記化粧用脂取りシートは、プラスチック材料からなるものであるとともに、芯となる前記台紙を挟むようにして折り曲げられた状態で、前記化粧用脂取りシートの折り曲げ部が前記取出口の幅方向と平行になるように、前記包装容器の前記内部空間に収納されている化粧用脂取りシート包装体。
【請求項２】
前記化粧用脂取りシートは、プラスチック材料からなる多孔質延伸フィルムである請求項１に記載の化粧用脂取りシート包装体。
【請求項３】
前記包装容器は、前記取出口の一部を覆う開閉蓋を更に有するものである請求項１又は２に記載の化粧用脂取りシート包装体。
【請求項４】
前記開閉蓋は、その内面における前記取出口から露出する前記化粧用脂取りシートに接触し得る位置に粘着部が形成されたものであり、
前記開閉蓋を開けた際に、前記開閉蓋の前記粘着部に粘着された前記化粧用脂取りシートが、前記取出口から引き出されるように構成されている請求項３に記載の化粧用脂取りシート包装体。
【請求項５】
前記包装容器は、前記取出口の外縁に、前記内部空間側の面に粘着部が形成されたフラップ部を更に有するものであり、
前記フラップ部を前記包装容器の外側に折り曲げた際に、前記フラップ部の前記粘着部に粘着された前記化粧用脂取りシートが、前記取出口から引き出されるように構成されている請求項１〜３のいずれかに記載の化粧用脂取りシート包装体。
【発明の詳細な説明】
【技術分野】
【０００１】
本発明は、化粧用脂取りシート包装体に関する。更に詳しくは、プラスチック材料からなる化粧用脂取りシートが包装容器に収納された、携帯に便利で且つ化粧用脂取りシートを簡単に取出すことができる化粧用脂取りシート包装体に関する。
【背景技術】
【０００２】
従来、顔面、特に、鼻、頬、額、眉間等の部位に浮き出した皮脂分を拭き取って顔面を清浄に保ったり、化粧料の馴染み及びのりを良くしたりするため、さまざまな化粧用脂取り紙（化粧用脂取りシート）が使用されている。このような化粧用脂取り紙は、複数枚が重ねられた状態で、箱状の包装容器や扁平袋状の簡易包装容器に収納されて用いられている（例えば、特許文献１及び２参照）。
【０００３】
例えば、特許文献１には、二つ折りにした脂取り紙を交互に逆向きに噛み合わせて上下に重ねて取出口を有する袋に収納された包装体が開示されている。また、特許文献２には、中心部の折曲げ線に沿って表裏両方向に折曲げ可能な容器外装部、及び容器外装部の内側において折曲げ線を挟んで形成された一対の収納ポケット部からなる脂取り紙を収納するための容器であり、各収納ポケット部は折曲げ線側の一辺が開口するとともに他の辺が容器外装部に取着されている脂取り紙収納容器が開示されている。
【０００４】
また、従来、脂取り紙としては、吸脂性を有する麻、合成パルプ等の植物繊維を抄紙して得た紙類が用いられていたが、吸脂性に優れ、使用中に破損することがなく、吸脂すると透明化して吸脂効果を明確に確認でき、使用者に十分な拭き取り感、満足感を与えることができ、肌触りもよく、そして特性の改良等を目的とした表面に対する粉粒体等の付着を必要としないように改良された、プラスチック材料の多孔質延伸フィルムからなる化粧用脂取りシートが開示されている（特許文献３参照）。
【０００５】
【特許文献１】実用新案登録第３０７６１５５号公報
【特許文献２】実用新案登録第３０６８６８９号公報
【特許文献３】特許第３０５５７７８号公報
【発明の開示】
【発明が解決しようとする課題】
【０００６】
しかしながら、上記した特許文献１の包装体は、紙類からなる化粧用脂取りシートを交互に折り曲げて重ねるという手間の掛かる製造方法をとらざるを得ず、高価な専用製造機を用いなければならないため、製造コストが高いという問題があった。また、化粧用脂取りシートに折り目がはっきりと形成されるため、折り目を伸ばしてから使用しなければ、化粧用脂取りシートを無駄なく使用することができないという問題があった。
【０００７】
また、特許文献２の脂取り紙収納容器は、化粧用脂取りシートを容器の収納ポケット部に挿入するのに非常に手間が掛かるとともに、化粧用脂取りシートの束がずれないように紙収納容器の収納ポケット部に挿入することは極めて困難であるという問題がある。また、上記したプラスチック材料の多孔質延伸フィルムからなる化粧用脂取りシートは、従来の紙類からなる脂取りシートと比較して柔軟性に優れているため、このような容器に収納することは特に困難である。
【０００８】
本発明は、上述の問題を解決するためになされたものであり、プラスチック材料からなる化粧用脂取りシートが包装容器に収納された、携帯に便利で且つ化粧用脂取りシートを簡単に取出すことができる化粧用脂取りシート包装体を提供する。
【課題を解決するための手段】
【０００９】
本発明によれば、以下の化粧用脂取りシート包装体が提供される。
【００１０】
［１］  その内部に化粧用脂取りシートを収納し得る内部空間が形成されるとともに、前記化粧用脂取りシートを取出すための取出口が形成された扁平形状の包装容器と、前記包装容器の前記内部空間に収納された複数の化粧用脂取りシートとを備えた、化粧用脂取りシート包装体であって、複数の前記化粧用脂取りシートを折り曲げる際の芯となる台紙を更に備え、前記化粧用脂取りシートは、プラスチック材料からなるものであるとともに、芯となる前記台紙を挟むようにして折り曲げられた状態で、前記化粧用脂取りシートの折り曲げ部が前記取出口の幅方向と平行になるように、前記包装容器の前記内部空間に収納されている化粧用脂取りシート包装体。
【００１１】
［２］  前記化粧用脂取りシートは、プラスチック材料からなる多孔質延伸フィルムである前記［１］に記載の化粧用脂取りシート包装体。
【００１２】
［３］  前記包装容器は、前記取出口の一部を覆う開閉蓋を更に有するものである前記［１］又は［２］に記載の化粧用脂取りシート包装体。
【００１３】
［４］  前記開閉蓋は、その内面における前記取出口から露出する前記化粧用脂取りシートに接触し得る位置に粘着部が形成されたものであり、前記開閉蓋を開けた際に、前記開閉蓋の前記粘着部に粘着された前記化粧用脂取りシートが、前記取出口から引き出されるように構成されている前記［３］に記載の化粧用脂取りシート包装体。
【００１４】
［５］  前記包装容器は、前記取出口の外縁に、前記内部空間側の面に粘着部が形成されたフラップ部を更に有するものであり、前記フラップ部を前記包装容器の外側に折り曲げた際に、前記フラップ部の前記粘着部に粘着された前記化粧用脂取りシートが、前記取出口から引き出されるように構成されている前記［１］〜［３］のいずれかに記載の化粧用脂取りシート包装体。
【発明の効果】
【００１５】
本発明の化粧用脂取りシート包装体は、包装容器よりも大きなサイズのプラスチック材料からなる化粧用脂取りシートが、板状の台紙を挟むようにして折り曲げられた状態で包装容器に収納されたものであり、携帯に便利で且つ化粧用脂取りシートを包装容器から簡単に取出すことができる。また、従来の大きさの包装容器から大きなサイズの化粧用脂取りシートが取出されるため、使用者に意外性を与えることができるとともに、携帯に便利な小型容器から、使用者の取扱い性の良い大きなサイズの脂取りシートを取出すことができ、便利である。更に、本発明の化粧用脂取りシート包装体は、板状の台紙を挟むようにして化粧用脂取りシートを折り曲げるため、化粧用脂取りシートにはっきりとした折り目がつかず、化粧用脂取りシート全体を無駄なく使用することができる。また、本発明の化粧用脂取りシート包装体を製造する際においても、化粧用脂取りシートが芯となる台紙を挟むようにして折り曲げられているため、包装容器の内部空間に収納する工程が簡便になる。
【発明を実施するための最良の形態】
【００１６】
以下、本発明の化粧用脂取りシート包装体の実施の形態を図面を参照しながら詳細に説明するが、本発明は以下の実施の形態に限定されるものではなく、本発明の趣旨を逸脱しない範囲で、当業者の通常の知識に基づいて、適宜設計の変更、改良等が加えられることが理解されるべきである。
【００１７】
〔１〕化粧用脂取りシート包装体：
図１は、本実施の形態の化粧用脂取りシート包装体の一の実施形態を模式的に示す斜視図であり、図２は、図１の化粧用脂取りシート包装体の切断線Ａにおける断面図である。本実施の形態の化粧用脂取りシート包装体１は、その内部に化粧用脂取りシート３を収納し得る内部空間１１が形成されるとともに、化粧用脂取りシート３を取出すための取出口１２が形成された扁平形状の包装容器２と、包装容器２の内部空間１１に収納された複数の化粧用脂取りシート３とを備えた、化粧用脂取りシート包装体１であって、複数の化粧用脂取りシート３を折り曲げるための芯となる台紙４を更に備えたものであり、化粧用脂取りシート３は、プラスチック材料からなるものであるとともに、この台紙４を挟むようにして折り曲げられた状態で、化粧用脂取りシート３の折り曲げ部１３が取出口１２の幅方向Ｃと平行になるように、包装容器２の内部空間１１に収納されている化粧用脂取りシート包装体１である。
【００１８】
このように本実施の形態の化粧用脂取りシート包装体１は、包装容器２よりも大きなサイズのプラスチック材料からなる化粧用脂取りシート３を、板状の台紙４を挟むようにして折り曲げられた状態で包装容器２に収納されているため、携帯に便利で且つ化粧用脂取りシート３を包装容器２から簡単に取出すことができる。また、従来の大きさの包装容器２から大きなサイズのプラスチック材料からなる化粧用脂取りシート３が取出されるため、使用者に意外性を与えることができるとともに、携帯に便利な小型容器から、使用者の取扱い性の良い大きなサイズの脂取りシートを取出すことができ、便利である。更に、板状の台紙４を挟むようにして化粧用脂取りシート３を折り曲げるため、化粧用脂取りシート３にはっきりとした折り目がつかず、化粧用脂取りシート３全体を無駄なく使用することができる。
【００１９】
プラスチック材料からなる化粧用脂取りシート３は、従来の紙類からなる脂取りシートと比較して柔軟性に優れているため、単に化粧用脂取りシート３のみを折り曲げて包装容器２の内部空間１１に収納することは極めて困難であり、従来は、包装容器と同程度の大きさの化粧用脂取りシートを、折り曲げることなく包装容器に収納して用いられていた。本実施の形態の化粧用脂取りシート包装体１は、複数の化粧用脂取りシート３を折り曲げるための芯となる台紙４を更に備えているため、折り曲げた化粧用脂取りシート３を包装容器２に良好に収納することができる。
【００２０】
〔１−１〕包装容器：
本実施の形態の化粧用脂取りシート包装体１を構成する包装容器２は、図１及び図２に示すように、上面６、底面７、及び四つの側面８ａ，８ｂ，８ｃ，８ｄを有する扁平形状のものであり、一の側面８ａから上面６の一部にかけて、取出口１２が形成されている。図１及び図２においては、一の側面８ａを構成する一辺から延出され、取出口１２を覆うように折り曲げられた開閉蓋５を更に有している包装容器２を示しているが、包装容器２の形状については特に限定されることはない。また、取出口１２の形状についても特に制限はなく、取出口１２から露出する化粧用脂取りシート３を取出すことが可能な形状であればよい。
【００２１】
このような包装容器２は、例えば、紙材料等からなるブランク材を折り曲げることによって形成することができる。このようなブランク材は、一枚の紙材料によって、折り曲げ線を介して上面６、底面７、四つの側面８ａ，８ｂ，８ｃ，８ｄ、及び組み立て時の接合代が形成されたものであり、この折り曲げ線に沿って所定の形状となるように折り曲げることによって包装容器２を形成することができる。また、本実施の形態の化粧用脂取りシート包装体１においては、従来、化粧用脂取りシートが折り曲げられることなく収納されている化粧用脂取りシート包装体に用いられる包装容器を利用することも可能である。
【００２２】
また、特に限定されることはないが、図１及び図２に示す包装容器２は、開閉蓋５が、その内面における取出口１２から露出する化粧用脂取りシート３に接触し得る位置に粘着部９が形成されたものであり、この開閉蓋５を開けた際に、開閉蓋５の粘着部９に粘着された化粧用脂取りシート３が、取出口１２から引き出されるように構成されている。このように構成することによって、開閉蓋５を開けただけで、化粧用脂取りシート３を引き出すことができるとともに、化粧用脂取りシート３を一枚ずつ引き出すことができる。なお、粘着部９は、化粧用脂取りシート３を粘着させた後、再剥離可能なものであることが好ましい。勿論、化粧用脂取りシート３は、取出口１２から指等で摘み上げるようにして直接引き出してもよい。
【００２３】
また、この開閉蓋５の先端部分には、包装容器２の上面６に形成された切れ目１４に挿通し得る係合片１５が形成されており、開閉蓋５の係合片１５を包装容器２の切れ目１４に挿入することにより、開閉蓋５を閉じることができるように構成されている。
【００２４】
図１に示す包装容器２は、取出口１２の幅方向Ｃの長さが長い長方形の上面６を有する扁平形状の包装容器２であるが、例えば、図３に示すように、取出口１２の幅方向Ｃの長さが短い長方形の上面６を有する扁平形状の包装容器２であってもよい。ここで、図３は、本発明の化粧用脂取りシート包装体の他の実施形態を模式的に示す斜視図である。なお、図３に示す化粧用脂取りシート包装体１において、図１に示す化粧用脂取りシート包装体１の各要素と同様に構成されているものについては、同一の符号を付して説明を省略する。
【００２５】
また、包装容器２は、図４及び図５に示すような形状のものであってもよい。図４及び図５に示す包装容器２は、上面６、底面７、及び四つの側面８ａ，８ｂ，８ｃ，８ｄを有する扁平形状のものであり、一の側面８ａに形成された取出口１２が、上面６にかけて形成されている。ここで、図４は、本発明の化粧用脂取りシート包装体の更に他の実施形態を模式的に示す斜視図であり、図５は、図４の化粧用脂取りシート包装体の切断線Ｂにおける断面図である。図５は、台紙４を２枚使用したもので、２枚の台紙の間に化粧用脂取りシート束を挟み込んだ構造になっている。このような構造とすると、包装容器に折り曲げした脂取りシート束を挿入するのが容易となる。なお、図４及び図５に示す化粧用脂取りシート包装体１において、図１に示す化粧用脂取りシート包装体１の各要素と同様に構成されているものについては、同一の符号を付して説明を省略する。
【００２６】
なお、図４及び図５に示す包装容器２は、取出口１２の外縁に、内部空間１１側の面に粘着部９が形成されたフラップ部１０を更に有するものであり、このフラップ部１０を包装容器２の外側に折り曲げた際に、フラップ部１０の粘着部９に粘着された化粧用脂取りシート３が、取出口１２から引き出されるように構成されている。このように構成することによって、図１に示すような開閉蓋５の内面に粘着部９が形成されたものと同様に、フラップ部１０を包装容器２の外側に折り曲げただけで、化粧用脂取りシート３を引き出すことができるとともに、化粧用脂取りシート３を一枚ずつ引き出すことができる。なお、この粘着部９は、上記したように、化粧用脂取りシート３を粘着させた後、再剥離可能なものであることが好ましい。
【００２７】
また、図示は省略するが、包装容器は、上記したような箱状のものでなく、上面と底面とを有し、その一部に化粧用脂取りシートを取出すための取出口が形成された袋状のものであってもよい。このような場合には、上面と底面との境界部分に取出口が形成されていることが好ましい。また、包装容器が袋状のものである場合には、薄手の紙や樹脂性のフィルム等を用いて形成することもできる。
【００２８】
〔１−２〕化粧用脂取りシート：
図１及び図２に示すように、本実施の形態の化粧用脂取りシート包装体１に用いられる化粧用脂取りシート３は、プラスチック材料からなるものであるとともに、この台紙４を挟むようにして折り曲げられた状態で、化粧用脂取りシート３の折り曲げ部１３が取出口１２の幅方向Ｃと平行になるように、包装容器２の内部空間１１に収納されている。なお、化粧用脂取りシート３は、二つ折りの状態で内部空間１１に収納されることになるため、包装容器２の上面６の面積の二倍の大きさまでは収納することができる。また、化粧用脂取りシート３の枚数については特に制限はなく、包装容器２の厚さと、化粧用脂取りシート３の厚さとに応じて適宜決定することができる。
【００２９】
このようなプラスチック材料からなる化粧用脂取りシート３は、吸脂性に優れるとともに、化粧途中において吸脂状態を容易に確認することができ、皮膚に対する刺激が少なく、また、顔面清拭効果に優れるので、その後の化粧料の馴染み及びのりも良好である。更に、この化粧用脂取りシート３は、皮脂分の吸収性に優れ、吸脂状態の容易な確認の指標となる透明化が顕著に起こり、しかも強靱であるばかりでなく、その表面に親水性を付与したことにより、顔面の汗やそれに溶け込んだ皮脂分をも多量に吸収することが可能である。
【００３０】
このような化粧用脂取りシート３としては、特許第３０５５７７８号公報に記載された化粧用脂取りシートを好適例として挙げることができる。この化粧用脂取りシートは、その体積に占める空間の割合が従来の脂取り紙と比較して大きいので、皮膚表面の皮脂分の吸脂性に優れており、また、したがって、単位面積当たりの吸脂量が顕著に大である。また、多数個の微細な空孔を均一に含有する構造を有しているので、皮膚表面の皮脂分を拭き取る前には、光の拡散に原因して不透明性を呈示し、しかし、吸脂後には、それぞれの空孔に皮脂分が充填されて光の拡散が防止ないし緩和されるので、化粧用脂取りシートを構成する多孔質延伸フィルム本体の本来の性質である透明性が相俟って、吸脂効果を明確に確認することが可能になる。
【００３１】
また、化粧用脂取りシート３としては、多孔質延伸フィルムの少なくとも一方の表面に、親水性液体吸収物質が少なくとも部分的に分布せしめられていることが好ましい。このように構成することによって、顔面の汗やそれに溶け込んだ皮脂分をも多量に吸収することができる。また、このような親水性液体吸収物質を有利に適用することができるように、親水性液体吸収物質は、多孔質延伸フィルムの製造後にそのフィルムの表面に塗工することにより分布せしめられたものであってもよいし、多孔質延伸フィルムの製造過程でそのフィルム中に混入せしめられたものであり、その一部分がフィルムの表面に露呈しているものであってもよい。
【００３２】
なお、図１及び図２においては、化粧用脂取りシート３が、その略中央部分にて台紙４を挟むようにして折り曲げられた状態で包装容器２の内部空間１１に収納されているが、例えば、図５に示すように、化粧用脂取りシート３の中央部分から外れた箇所にて、台紙４を挟むようにして折り曲げられた状態で包装容器２の内部空間１１に収納されてもよい。また、図５においては、台紙４を２枚使用、図６においては大きめの台紙４を２つ折にし、開口する側を取出口側にし、台紙間に脂取りシート束を挟み込むと、折り曲げした脂取りシート束を包装容器に挿入することが容易となり、好ましい。
【００３３】
また、化粧用脂取りシート３の形状については特に制限はなく、例えば、図７に示すような、一般的に用いられる四角形の他、三角形や五角形等の多角形、図８に示すような円形、図９に示すようなハート形、図１０に示すような星形、また、図示は省略するが、楕円形、三日月形であってもよい。ここで、図７〜図１０は、本実施の形態の化粧用脂取りシート包装体に用いられる化粧用脂取りシートを示す平面図である。また、図７〜図１０に示したそれぞれの化粧用脂取りシート３を折り曲げる際には、例えば、図１１〜図１４に示すようにして折り曲げることができる。ここで、図１１〜図１４は、図７〜図１０に示したそれぞれの化粧用脂取りシートを折り曲げた状態を示す平面図である。
【００３４】
〔１−３〕台紙：
図１及び図２に示すように、本実施の形態の化粧用脂取りシート包装体１に用いられる台紙４は、複数の化粧用脂取りシート３を折り曲げる際の芯となるものであり、紙類からなる脂取りシートと比較して柔軟性に優れているプラスチック材料からなる化粧用脂取りシート３を折り曲げた際に、化粧用脂取りシート３の型崩れを防止するものである。なお、本明細書にいう「台紙」とは、上記したように複数の化粧用脂取りシート３を折り曲げる際の芯となる板状の部材を意味するものであり、その材質については紙に限定されることはなく、例えば、樹脂性や金属性の板状の部材であっても、化粧用脂取りシート３を折り曲げる際の芯となるものは、本明細書にいう「台紙」の概念に含まれる。更に前述のように、図５に示す台紙の２枚使い、図６に示す台紙の２つ折使用も本発明の台紙に含まれる。なお、本実施の形態の化粧用脂取りシート包装体１においては、例えば、厚紙等からなる台紙を好適に用いることができる。
【００３５】
本実施の形態の化粧用脂取りシート包装体１に用いられる台紙４の大きさについては、化粧用脂取りシート３の折り曲げ時の芯となり得る大きさであり、且つ化粧用脂取りシート３の型崩れを防止する効果を得ることができるものであれば特に制限はないが、折り曲げて収納した化粧用脂取りシート３が包装容器２の内部空間１１で揺れ動くことがないように、包装容器２の大きさ（即ち、図１に示す包装容器２においては、包装容器２の上面６の大きさ）と同程度の大きさであることが好ましい。
【実施例】
【００３６】
以下、本発明を実施例によって更に具体的に説明するが、本発明はこれらの実施例によって何ら限定されるものではない。
【００３７】
（実施例１）
図１に示すような形状の包装容器２を、厚紙を折り曲げることによって、縦８７ｍｍ、横５８ｍｍ、厚さ６ｍｍとなるように製造した。この包装容器２は、株式会社白元製のＳＴＦオイルクリアフィルム（商品名）に用いられる包装容器と同様な形状である。なお、この包装容器２の開閉蓋５は、その内面における取出口１２から露出する化粧用脂取りシート３に接触し得る位置に粘着部９が形成されたものである。
【００３８】
包装容器２に収納する化粧用脂取りシート３は、図８に示すような、直径が８５ｍｍの円形のプラスチック材料からなる多孔質延伸フィルムを３０枚の束として用いた。また、化粧用脂取りシートを折り曲げる際の芯となる台紙は、包装容器を形成する厚紙と同様のものを用いて、縦８５ｍｍ、横５５ｍｍとなるように形成した。包装容器、化粧用脂取りシート及び台紙の形状を表１に示す。
【００３９】
【表１】
2007244588.tif 000003
【００４０】
上記した台紙を挟むようにして、円形の化粧用脂取りシート束を、その略中央部分で二つ折りにした後、化粧用脂取りシートの折り曲げ部が包装容器の取出口側に位置するように、包装容器の内部空間に収納して化粧用脂取りシート包装体を製造した。このようにして製造された化粧用脂取りシート包装体において、開閉蓋に形成された粘着部を用いて、化粧用脂取りシートを一枚ずつ取出すことができるかについての評価（化粧用脂取りシートの取出性評価）を行った。本実施例の化粧用脂取りシート包装体は、粘着部を用いて化粧用脂取りシートを一枚ずつ良好に取出すことができるものであった。化粧用脂取りシートの取出性評価の評価結果を表２に示す。
【００４１】
【表２】
2007244588.tif 000004
【００４２】
（実施例２）
図３に示すような形状の包装容器２を、厚紙を折り曲げることによって、縦６０ｍｍ、横１００ｍｍ、厚さ６ｍｍとなるように製造した。この包装容器２は、株式会社マンダム製のＧａｔｓｂｙあぶらとり紙（商品名）に用いられる包装容器と同様な形状である。なお、この包装容器２の開閉蓋５は、その内面における取出口１２から露出する化粧用脂取りシート３に接触し得る位置に粘着部９が形成されたものである。
【００４３】
包装容器２に収納する化粧用脂取りシート３は、図７に示すような、１８０ｍｍ×５５ｍｍの四角形のプラスチック材料からなる多孔質延伸フィルムを３０枚の束として用いた。また、化粧用脂取りシートを折り曲げる際の芯となる台紙４は、包装容器２を形成する厚紙と同様のものを用いて、縦５５ｍｍ、横９５ｍｍとなるように形成した。包装容器、化粧用脂取りシート及び台紙の形状を表１に示す。
【００４４】
上記した台紙を挟むようにして、四角形の化粧用脂取りシート束を、その略中央部分で二つ折りにした後、化粧用脂取りシートの折り曲げ部が包装容器の取出口側に位置するように、包装容器の内部空間に収納して化粧用脂取りシート包装体を製造した。実施例１と同様の方法によって化粧用脂取りシートの取出性評価を行った。本実施例の化粧用脂取りシート包装体は、粘着部を用いて化粧用脂取りシートを一枚ずつ良好に取出すことができるものであった。化粧用脂取りシートの取出性評価の評価結果を表２に示す。
【００４５】
（実施例３）
図４に示すような形状の包装容器２を、厚紙を折り曲げることによって、縦８７ｍｍ、横５８ｍｍ、厚さ６ｍｍとなるように製造した。この包装容器２は、株式会社マンダム製のＳｉｍｐｌｉｔｙやわらかあぶらとりフィルム（商品名）に用いられる包装容器と同様な形状である。なお、この包装容器２は、取出口１２の外縁に、内部空間１１側の面に粘着部９が形成されたフラップ部１０を更に有するものである。
【００４６】
包装容器２に収納する化粧用脂取りシート３は、図９に示すような、縦、横の最大値が１００ｍｍ×８５ｍｍのハート形のプラスチック材料からなる多孔質延伸フィルムを３０枚の束として用いた。また、化粧用脂取りシートを折り曲げる際の芯となる台紙４は、包装容器２を形成する厚紙と同様のものを用いて、縦８５ｍｍ、横５５ｍｍのものを２枚使用した。２枚の台紙間に折り曲げした化粧用脂取りシート束の一端を挟み込み包装容器に挿入した。包装容器、化粧用脂取りシート及び台紙の形状を表１に示す。
【００４７】
上記した２枚の台紙で、化粧用脂取りシート束を挟むようにして、ハート形の化粧用脂取りシートの略中央部分で二つ折りにした後、化粧用脂取りシートの折り曲げ部が包装容器の取出口側に位置するように、包装容器の内部空間に収納して化粧用脂取りシート包装体を製造した。このようにして製造された化粧用脂取りシート包装体において、包装容器のフラップ部に形成された粘着部を用いて、化粧用脂取りシートを一枚ずつ取出すことができるかについての評価（化粧用脂取りシートの取出性評価）を行った。本実施例の化粧用脂取りシート包装体は、粘着部を用いて化粧用脂取りシートを一枚ずつ良好に取出すことができるものであった。化粧用脂取りシートの取出性評価の評価結果を表２に示す。
【産業上の利用可能性】
【００４８】
本発明の化粧用脂取りシート包装体は、顔面、特に、鼻、頬、額、眉間等の部位に浮き出した皮脂分を拭き取って顔面を清浄に保ったり、化粧料の馴染み及びのりを良くするための化粧用脂取りシートを用いるための化粧用脂取りシート包装体として用いることができる。特に、携帯用の化粧用脂取りシートを収納した化粧用脂取りシート包装体として好適に用いることができる。
【図面の簡単な説明】
【００４９】
【図１】本発明の化粧用脂取りシート包装体の一の実施形態を模式的に示す斜視図である。
【図２】図１の化粧用脂取りシート包装体の切断線Ａにおける断面図である。
【図３】本発明の化粧用脂取りシート包装体の他の実施形態を模式的に示す斜視図である。
【図４】本発明の化粧用脂取りシート包装体の更に他の実施形態を模式的に示す斜視図である。
【図５】図４の化粧用脂取りシート包装体の切断線Ｂにおける断面図である。
【図６】本発明の化粧用脂取りシート包装体の更に他の実施形態を模式的に示す断面図である。
【図７】本発明の化粧用脂取りシート包装体に用いられる化粧用脂取りシートの一例を示す平面図である。
【図８】本発明の化粧用脂取りシート包装体に用いられる化粧用脂取りシートの他の例を示す平面図である。
【図９】本発明の化粧用脂取りシート包装体に用いられる化粧用脂取りシートの更に他の例を示す平面図である。
【図１０】本発明の化粧用脂取りシート包装体に用いられる化粧用脂取りシートの更に他の例を示す平面図である。
【図１１】図７に示す化粧用脂取りシートを折り曲げた状態を示す平面図である。
【図１２】図８に示す化粧用脂取りシートを折り曲げた状態を示す平面図である。
【図１３】図９に示す化粧用脂取りシートを折り曲げた状態を示す平面図である。
【図１４】図１０に示す化粧用脂取りシートを折り曲げた状態を示す平面図である。
【符号の説明】
【００５０】
１：化粧用脂取りシート包装体、２：包装容器、３：化粧用脂取りシート、４：台紙、５：開閉蓋、６：上面、７：底面、８ａ，８ｂ，８ｃ，８ｄ：側面、９：粘着部、１０：フラップ部、１１：内部空間、１２取出口、１３：折り曲げ部、１４：切れ目、１５：係合片、Ａ，Ｂ：切断線、Ｃ：取出口の幅方向。
【図１】
2007244588.tif 000005
【図２】
2007244588.tif 000006
【図３】
2007244588.tif 000007
【図４】
2007244588.tif 000008
【図５】
2007244588.tif 000009
【図６】
2007244588.tif 000010
【図７】
2007244588.tif 000011
【図８】
2007244588.tif 000012
【図９】
2007244588.tif 000013
【図１０】
2007244588.tif 000014
【図１１】
2007244588.tif 000015
【図１２】
2007244588.tif 000016
【図１３】
2007244588.tif 000017
【図１４】
2007244588.tif 000018